(57)【要約】【課題】印刷物を構成する各色版の刷り順を考慮することで、最終印刷物をより忠実に再現するカラープルーフを作成することを可能にする画像出力システム、制御装置、画像出力装置、画像出力方法、その方法を実行させるためのプログラム、及び、そのプログラムを記憶した記憶媒体を提供する。【解決手段】制御装置１のカラーコレクション抽出部１４は、画像データが格納部１０に格納されて、刷り順指定部１１によってその画像データを構成する各色版の刷り順が指定された場合に、その指定された刷り順と、刷り順設定部１２ｂにより予め設定され、カラーコレクションテーブル記憶部１３にカラーコレクションテーブルと共に記憶された当該カラーコレクションテーブルが対象とする各色版の刷り順とを照合して、互いの刷り順が一致するカラーコレクションテーブルを抽出する。【選択図】      図２
2004341372.tif 000002
【特許請求の範囲】
【請求項１】
画像データを構成する各色版とそれらに対応する露光強度値とが対応付けられると共に、前記各色版の刷り順を示す情報が付されたテーブルを複数記憶する記憶手段と、
外部装置から送信された画像データを格納する格納手段と、
前記格納手段に格納された画像データを構成する各色版の刷り順を指定するための指定手段と、
前記格納手段に格納された画像データを解析加工することで色版別の画像ラスターデータを作成する解析加工手段と、
前記記憶手段に記憶された複数のテーブルの中から前記指定手段により指定された各色版の刷り順と一致するものを抽出する抽出手段と、
前記抽出手段による抽出において各色版の刷り順が一致したテーブルと、前記解析加工手段により作成された色版別の画像ラスターデータとを送信する送信制御手段と、を備えた制御装置と、
前記送信制御手段から受信した色版別の画像ラスターデータに基づく画像を、前記送信制御手段から受信したテーブルに従って露光して出力する画像出力装置と、を含むことを特徴とする画像出力システム。
【請求項２】
画像データを構成する各色版とそれらに対応する露光強度値とが対応付けられると共に、前記各色版の刷り順を示す情報が付されたテーブルを、所定の出力条件に従って複数のグループに分類して記憶する記憶手段と、
複数の外部装置から送信された画像データを、当該複数の外部装置の各々と対応付けられたフォルダに格納する格納手段と、
前記フォルダの各々と前記複数のグループの各々とを予め対応付けるフォルダ／グループ対応付け手段と、
前記フォルダに格納された画像データを構成する各色版の刷り順を指定するための指定手段と、
前記画像データが格納されたフォルダに対応付けられたグループに分類されるテーブルの中から、前記指定手段によって指定された各色版の刷り順と一致するものを抽出する抽出手段と、
前記抽出手段による抽出において各色版の刷り順が一致したテーブルと、前記解析加工手段により作成された色版別の画像ラスターデータとを送信する送信制御手段と、を備えた制御装置と、
前記送信制御手段から受信した色版別の画像ラスターデータに基づく画像を、前記送信制御手段から受信したテーブルに従って露光して出力する画像出力装置と、を含むことを特徴とする画像出力システム。
【請求項３】
前記所定の出力条件は、前記画像データが印刷機において印刷される際の印刷用紙の種別であることを特徴とする請求項２記載の画像出力システム。
【請求項４】
前記テーブルの露光強度値は、当該テーブルの各色版の刷り順に応じた値となっていることを特徴とする請求項１乃至請求項３の何れか一項に記載の画像出力システム。
【請求項５】
色版別の画像ラスターデータに基づく画像を、所定のテーブルに従って露光して出力する画像出力装置の制御を行う制御装置であって、
画像データを構成する各色版とそれらに対応する露光強度値とが対応付けられると共に、前記各色版の刷り順を示す情報が付されたテーブルを複数記憶する記憶手段と、
外部装置から送信された画像データを格納する格納手段と、
前記格納手段に格納された画像データを構成する各色版の刷り順を指定するための指定手段と、
前記格納手段に格納された画像データを解析加工することで色版別の画像ラスターデータを作成する解析加工手段と、
前記記憶手段に記憶された複数のテーブルの中から前記指定手段により指定された各色版の刷り順と一致するものを抽出する抽出手段と、
前記抽出手段による抽出において各色版の刷り順が一致したテーブルと、前記解析加工手段により作成された色版別の画像ラスターデータとを前記画像出力装置に送信する送信制御手段と、を備えたことを特徴とする制御装置。
【請求項６】
色版別の画像ラスターデータに基づく画像を、所定のテーブルに従って露光して出力する画像出力装置の制御を行う制御装置であって、
画像データを構成する各色版とそれらに対応する露光強度値とが対応付けられると共に、前記各色版の刷り順を示す情報が付されたテーブルを、所定の出力条件に従って複数のグループに分類して記憶する記憶手段と、
複数の外部装置から送信された画像データを、当該複数の外部装置の各々と対応付けられたフォルダに格納する格納手段と、
前記フォルダの各々と前記複数のグループの各々とを予め対応付けるフォルダ／グループ対応付け手段と、
前記フォルダに格納された画像データを構成する各色版の刷り順を指定するための指定手段と、
前記画像データが格納されたフォルダに対応付けられたグループに分類されるテーブルの中から、前記指定手段によって指定された各色版の刷り順と一致するものを抽出する抽出手段と、
前記抽出手段による抽出において各色版の刷り順が一致したテーブルと、前記解析加工手段により作成された色版別の画像ラスターデータとを前記画像出力装置に送信する送信制御手段と、を備えたことを特徴とする制御装置。
【請求項７】
前記所定の出力条件は、前記画像データが印刷機において印刷される際の印刷用紙の種別であることを特徴とする請求項６記載の制御装置。
【請求項８】
前記テーブルの露光強度値は、当該テーブルの各色版の刷り順に応じた値となっていることを特徴とする請求項５乃至請求項７の何れか一項に記載の制御装置。
【請求項９】
画像データを構成する各色版とそれらに対応する露光強度値とが対応付けられると共に、前記各色版の刷り順を示す情報が付されたテーブルを複数記憶する記憶手段と、
外部装置から送信された画像データを格納する格納手段と、
前記格納手段に格納された画像データを構成する各色版の刷り順を指定するための指定手段と、
前記格納手段に格納された画像データを解析加工することで色版別の画像ラスターデータを作成する解析加工手段と、
前記記憶手段に記憶された複数のテーブルの中から前記指定手段により指定された各色版の刷り順と一致するものを抽出する抽出手段と、
前記抽出手段による抽出において各色版の刷り順が一致したテーブルに従って、前記解析加工手段により作成された色版別の画像ラスターデータに基づく画像を出力する画像出力手段と、を備えたことを特徴とする画像出力装置。
【請求項１０】
画像データを構成する各色版とそれらに対応する露光強度値とが対応付けられると共に、前記各色版の刷り順を示す情報が付されたテーブルを、所定の出力条件に従って複数のグループに分類して記憶する記憶手段と、
複数の外部装置から送信された画像データを、当該複数の外部装置の各々と対応付けられたフォルダに格納する格納手段と、
前記フォルダの各々と前記複数のグループの各々とを予め対応付けるフォルダ／グループ対応付け手段と、
前記フォルダに格納された画像データを構成する各色版の刷り順を指定するための指定手段と、
前記画像データが格納されたフォルダに対応付けられたグループに分類されるテーブルの中から、前記指定手段によって指定された各色版の刷り順と一致するものを抽出する抽出手段と、
前記抽出手段による抽出において各色版の刷り順が一致したテーブルに従って、前記解析加工手段により作成された色版別の画像ラスターデータに基づく画像を出力する画像出力手段と、を備えたことを特徴とする画像出力装置。
【請求項１１】
前記所定の出力条件は、前記画像データが印刷機において印刷される際の印刷用紙の種別であることを特徴とする請求項１０記載の画像出力装置。
【請求項１２】
前記テーブルの露光強度値は、当該テーブルの各色版の刷り順に応じた値となっていることを特徴とする請求項９乃至請求項１１の何れか一項に記載の画像出力装置。
【請求項１３】
画像データを構成する各色版とそれらに対応する露光強度値とが対応付けられると共に、前記各色版の刷り順を示す情報が付されたテーブルを複数記憶する記憶ステップと、
外部装置から送信された画像データを格納する格納ステップと、
前記格納ステップにおいて格納された画像データを構成する各色版の刷り順が指定される指定ステップと、
前記格納ステップにおいて格納された画像データを解析加工することで色版別の画像ラスターデータを作成する解析加工ステップと、
前記記憶ステップにおいて記憶された複数のテーブルの中から前記指定ステップにおいて指定された各色版の刷り順と一致するものを抽出する抽出ステップと、
前記抽出ステップにおける抽出において各色版の刷り順が一致したテーブルに従って、前記解析加工ステップにおいて作成された色版別の画像ラスターデータに基づく画像を出力する画像出力ステップと、を含むことを特徴とする画像出力方法。
【請求項１４】
画像データを構成する各色版とそれらに対応する露光強度値とが対応付けられると共に、前記各色版の刷り順を示す情報が付されたテーブルを、所定の出力条件に従って複数のグループに分類して記憶する記憶ステップと、
複数の外部装置から送信された画像データを、当該複数の外部装置の各々と対応付けられたフォルダに格納する格納ステップと、
前記フォルダの各々と前記複数のグループの各々とを予め対応付けるフォルダ／グループ対応付けステップと、
前記フォルダに格納された画像データを構成する各色版の刷り順が指定される指定ステップと、
前記画像データが格納されたフォルダに対応付けられたグループに分類されるテーブルの中から、前記指定ステップにおいて指定された各色版の刷り順と一致するものを抽出する抽出ステップと、
前記抽出ステップにおける抽出において各色版の刷り順が一致したテーブルに従って、前記解析加工ステップにおいて作成された色版別の画像ラスターデータに基づく画像を出力する画像出力ステップと、を含むことを特徴とする画像出力方法。
【請求項１５】
前記所定の出力条件は、前記画像データが印刷機において印刷される際の印刷用紙の種別であることを特徴とする請求項１４記載の画像出力方法。
【請求項１６】
前記テーブルの露光強度値は、当該テーブルの各色版の刷り順に応じた値となっていることを特徴とする請求項１３乃至請求項１５の何れか一項に記載の画像出力方法。
【請求項１７】
請求項１３乃至請求項１６の何れか一項に記載の画像出力方法をコンピュータにおいて実行させることを特徴とするプログラム。
【請求項１８】
請求項１７記載のプログラムをコンピュータにより読み出し可能に記録したことを特徴とする記録媒体。
【発明の詳細な説明】
【０００１】
【発明の属する技術分野】
本発明は、画像出力システム、制御装置、画像出力装置、画像出力方法、その方法を実行させるためのプログラム、及び、そのプログラムを記憶した記憶媒体に関し、特に、波長の異なる複数の光源によって感光材料を感光させることで、最終印刷物の仕上がりを事前に確認するためのカラープルーフを作成するものに関する。
【０００２】
【従来の技術】
従来から、印刷機により印刷される最終印刷物の仕上がりを事前にシミュレートする目的で、カラープルーフを作成するＤＣＰ（Ｄｉｇｉｔａｌ  ＣｏｌｏｒＰｒｏｏｆ）作成装置が提案されている。このようなＤＣＰ作成装置の中には、外部より入力された各色分解原稿の網点画像データに基づいて、感光材料に、例えばＲ（レッド）／Ｇ（グリーン）／Ｂ（ブルー）等の波長の異なる複数の光の組み合わせから成る光点を露光して、Ｙ（イエロー）／Ｍ（マゼンタ）／Ｃ（シアン）／Ｋ（ブラック）等の各色を発色させるものがある。
【０００３】
このＤＣＰ作成装置においては、予め、画像データを構成する各色版のＹ／Ｍ／Ｃ／Ｋ等の色名称と、当該装置の露光光源の各色であるＲ／Ｇ／Ｂの露光強度値、即ち、光量値とを対応付けたルックアップテーブルを複数記憶しており、各色分解原稿の網点画像データが送信された場合には、例えば、作業者が、その画像データを構成する各色と、これらのルックアップテーブルを構成する各色とを照合して、一致するルックアップテーブルを指定することで、当該装置においては、指定されたルックアップテーブルに従って露光を行い、各色を発色させて、感光材料上に各色分解原稿の網点画像データに基づく画像を出力する。
【０００４】
ところで、ＤＣＰ作成装置においては、感光材料の性質や描画させたい色調に応じてルックアップテーブルが複数記憶される場合がある（例えば、特許文献１参照）。これは、露光光源の点灯／消灯や、点灯レベルの異なる光源駆動データ、即ち、それらに応じて光量値が調整されたルックアップテーブルを複数用意しておき、これを照合指定することで、所望の色調のカラープルーフを作成することを狙ったものである。
【０００５】
ところで、カラープルーフの対象である最終印刷物においては、画像を構成する各色版の「刷り順」によって色調が異なるという問題がある。例えば、図２０（Ａ）、（Ｂ）に示すように、Ｙ、Ｍ、Ｃ、Ｋの各色版を構成する網点の重なり状態をミクロ的に見ると、先に印刷された色版の網点の上に、順次、印刷された網点が重なっていくことになるが、その刷り順が異なると、これらをマクロ的に比較した場合には、互いに全く異なった色調に見えることになる。因みに、同図（Ａ）においては、各色版の刷り順は、Ｙ、Ｃ、Ｋ、Ｍの順となっている。また、同図（Ｂ）においては、各色版の刷り順は、Ｍ、Ｙ、Ｃ、Ｋの順となっている。また、下方に位置する色版の網点であっても、インクには透過性があることから、その色は透けて見えることとなる。従って、このような影響もあって、これらカラープルーフと最終印刷物とをマクロ的に比較した場合には、互いに全く異なった色調に見えることになる。
【０００６】
【特許文献１】
特開２００２−３２３７５４号公報
（段落〔００７６〕‐〔００９６〕、第２図乃至第４図）
【０００７】
【発明が解決しようとする課題】
ところが、ＤＣＰ作成装置においては、ルックアップテーブルが複数記憶される場合であっても、上述した最終印刷物における各色版の「刷り順」までも考慮に入れて、その光量値が調整されたものを用意するといったものは存在しておらず、このため最終印刷物における各色版の「刷り順」によっては、最終印刷物とＤＣＰ作成装置において出力されるカラープルーフとの間で色調の違いが生じる場合があった。
【０００８】
特に、最終印刷物において「特色（スポットカラー）」と呼ばれるＹ、Ｍ、Ｃ、Ｋ以外の色を含めて印刷が行われる場合には、色版の数が増加して、上述した「刷り順」の組み合わせも多様化するため、最終印刷物とカラープルーフとの間で色調の違いが生じる問題は頻繁に発生することとになった。
【０００９】
本発明は、上記事情に鑑みてなされたものであり、その目的とするところは、最終印刷物に使用される各色版の刷り順を考慮することで、最終印刷物をより忠実に再現するカラープルーフを作成することを可能にする画像出力システム、制御装置、画像出力装置、画像出力方法、その方法を実行させるためのプログラム、及び、そのプログラムを記憶した記憶媒体を提供することにある。
【００１０】
【課題を解決するための手段】
上記課題を解決するために、請求項１記載の発明は、画像データを構成する各色版とそれらに対応する露光強度値とが対応付けられると共に、前記各色版の刷り順を示す情報が付されたテーブルを複数記憶する記憶手段と、外部装置から送信された画像データを格納する格納手段と、前記格納手段に格納された画像データを構成する各色版の刷り順を指定するための指定手段と、前記格納手段に格納された画像データを解析加工することで色版別の画像ラスターデータを作成する解析加工手段と、前記記憶手段に記憶された複数のテーブルの中から前記指定手段により指定された各色版の刷り順と一致するものを抽出する抽出手段と、前記抽出手段による抽出において各色版の刷り順が一致したテーブルと、前記解析加工手段により作成された色版別の画像ラスターデータとを送信する送信制御手段と、を備えた制御装置と、前記送信制御手段から受信した色版別の画像ラスターデータに基づく画像を、前記送信制御手段から受信したテーブルに従って露光して出力する画像出力装置と、を含むことを特徴とする。
【００１１】
上記課題を解決するために、請求項２記載の発明は、画像データを構成する各色版とそれらに対応する露光強度値とが対応付けられると共に、前記各色版の刷り順を示す情報が付されたテーブルを、所定の出力条件に従って複数のグループに分類して記憶する記憶手段と、複数の外部装置から送信された画像データを、当該複数の外部装置の各々と対応付けられたフォルダに格納する格納手段と、前記フォルダの各々と前記複数のグループの各々とを予め対応付けるフォルダ／グループ対応付け手段と、前記フォルダに格納された画像データを構成する各色版の刷り順を指定するための指定手段と、前記画像データが格納されたフォルダに対応付けられたグループに分類されるテーブルの中から、前記指定手段によって指定された各色版の刷り順と一致するものを抽出する抽出手段と、前記抽出手段による抽出において各色版の刷り順が一致したテーブルと、前記解析加工手段により作成された色版別の画像ラスターデータとを送信する送信制御手段と、を備えた制御装置と、前記送信制御手段から受信した色版別の画像ラスターデータに基づく画像を、前記送信制御手段から受信したテーブルに従って露光して出力する画像出力装置と、を含むことを特徴とする。
【００１２】
上記課題を解決するために、請求項５記載の発明は、色版別の画像ラスターデータに基づく画像を、所定のテーブルに従って露光して出力する画像出力装置の制御を行う制御装置であって、画像データを構成する各色版とそれらに対応する露光強度値とが対応付けられると共に、前記各色版の刷り順を示す情報が付されたテーブルを複数記憶する記憶手段と、外部装置から送信された画像データを格納する格納手段と、前記格納手段に格納された画像データを構成する各色版の刷り順を指定するための指定手段と、前記格納手段に格納された画像データを解析加工することで色版別の画像ラスターデータを作成する解析加工手段と、前記記憶手段に記憶された複数のテーブルの中から前記指定手段により指定された各色版の刷り順と一致するものを抽出する抽出手段と、前記抽出手段による抽出において各色版の刷り順が一致したテーブルと、前記解析加工手段により作成された色版別の画像ラスターデータとを前記画像出力装置に送信する送信制御手段と、を備えたことを特徴とする。
【００１３】
上記課題を解決するために、請求項６記載の発明は、色版別の画像ラスターデータに基づく画像を、所定のテーブルに従って露光して出力する画像出力装置の制御を行う制御装置であって、画像データを構成する各色版とそれらに対応する露光強度値とが対応付けられると共に、前記各色版の刷り順を示す情報が付されたテーブルを、所定の出力条件に従って複数のグループに分類して記憶する記憶手段と、複数の外部装置から送信された画像データを、当該複数の外部装置の各々と対応付けられたフォルダに格納する格納手段と、前記フォルダの各々と前記複数のグループの各々とを予め対応付けるフォルダ／グループ対応付け手段と、前記フォルダに格納された画像データを構成する各色版の刷り順を指定するための指定手段と、前記画像データが格納されたフォルダに対応付けられたグループに分類されるテーブルの中から、前記指定手段によって指定された各色版の刷り順と一致するものを抽出する抽出手段と、前記抽出手段による抽出において各色版の刷り順が一致したテーブルと、前記解析加工手段により作成された色版別の画像ラスターデータとを前記画像出力装置に送信する送信制御手段と、を備えたことを特徴とする。
【００１４】
上記課題を解決するために、請求項９記載の発明は、画像データを構成する各色版とそれらに対応する露光強度値とが対応付けられると共に、前記各色版の刷り順を示す情報が付されたテーブルを複数記憶する記憶手段と、外部装置から送信された画像データを格納する格納手段と、前記格納手段に格納された画像データを構成する各色版の刷り順を指定するための指定手段と、前記格納手段に格納された画像データを解析加工することで色版別の画像ラスターデータを作成する解析加工手段と、前記記憶手段に記憶された複数のテーブルの中から前記指定手段により指定された各色版の刷り順と一致するものを抽出する抽出手段と、前記抽出手段による抽出において各色版の刷り順が一致したテーブルに従って、前記解析加工手段により作成された色版別の画像ラスターデータに基づく画像を出力する画像出力手段と、を備えたことを特徴とする。
【００１５】
上記課題を解決するために、請求項１０記載の発明は、画像データを構成する各色版とそれらに対応する露光強度値とが対応付けられると共に、前記各色版の刷り順を示す情報が付されたテーブルを、所定の出力条件に従って複数のグループに分類して記憶する記憶手段と、複数の外部装置から送信された画像データを、当該複数の外部装置の各々と対応付けられたフォルダに格納する格納手段と、前記フォルダの各々と前記複数のグループの各々とを予め対応付けるフォルダ／グループ対応付け手段と、前記フォルダに格納された画像データを構成する各色版の刷り順を指定するための指定手段と、前記画像データが格納されたフォルダに対応付けられたグループに分類されるテーブルの中から、前記指定手段によって指定された各色版の刷り順と一致するものを抽出する抽出手段と、前記抽出手段による抽出において各色版の刷り順が一致したテーブルに従って、前記解析加工手段により作成された色版別の画像ラスターデータに基づく画像を出力する画像出力手段と、を備えたことを特徴とする。
【００１６】
上記課題を解決するために、請求項１３記載の発明は、画像データを構成する各色版とそれらに対応する露光強度値とが対応付けられると共に、前記各色版の刷り順を示す情報が付されたテーブルを複数記憶する記憶ステップと、外部装置から送信された画像データを格納する格納ステップと、前記格納ステップにおいて格納された画像データを構成する各色版の刷り順が指定される指定ステップと、前記格納ステップにおいて格納された画像データを解析加工することで色版別の画像ラスターデータを作成する解析加工ステップと、前記記憶ステップにおいて記憶された複数のテーブルの中から前記指定ステップにおいて指定された各色版の刷り順と一致するものを抽出する抽出ステップと、前記抽出ステップにおける抽出において各色版の刷り順が一致したテーブルに従って、前記解析加工ステップにおいて作成された色版別の画像ラスターデータに基づく画像を出力する画像出力ステップと、を含むことを特徴とする。
【００１７】
上記課題を解決するために、請求項１４記載の発明は、画像データを構成する各色版とそれらに対応する露光強度値とが対応付けられると共に、前記各色版の刷り順を示す情報が付されたテーブルを、所定の出力条件に従って複数のグループに分類して記憶する記憶ステップと、複数の外部装置から送信された画像データを、当該複数の外部装置の各々と対応付けられたフォルダに格納する格納ステップと、前記フォルダの各々と前記複数のグループの各々とを予め対応付けるフォルダ／グループ対応付けステップと、前記フォルダに格納された画像データを構成する各色版の刷り順が指定される指定ステップと、前記画像データが格納されたフォルダに対応付けられたグループに分類されるテーブルの中から、前記指定ステップにおいて指定された各色版の刷り順と一致するものを抽出する抽出ステップと、前記抽出ステップにおける抽出において各色版の刷り順が一致したテーブルに従って、前記解析加工ステップにおいて作成された色版別の画像ラスターデータに基づく画像を出力する画像出力ステップと、を含むことを特徴とする。
【００１８】
上記課題を解決するために、請求項１７記載の発明は、請求項１３乃至請求項１６の何れか一項に記載の画像出力方法をコンピュータにおいて実行させることを特徴とする。
【００１９】
上記課題を解決するために、請求項１８記載の発明は、請求項１７記載のプログラムをコンピュータにより読み出し可能に記録したことを特徴とする。
【００２０】
【発明の実施の形態】
以下、本発明に係る画像出力システム、制御装置、画像出力装置、画像出力方法、その方法を実行させるためのプログラム、及び、そのプログラムを記憶した記憶媒体の一実施形態について、図面を参照しながら詳細に説明する。
【００２１】
［画像出力システム］
まず、本実施形態における画像出力システムのシステム構成及び概略動作について、図１を参照しつつ説明する。
【００２２】
＜システム構成＞
図１に示すように、当該画像出力システムは、上流端末、即ち、画像データ編集端末３やＲＩＰ（Ｒａｓｔｅｒ・Ｉｍａｇｅ・Ｐｒｏｃｅｓｓｏｒ）４から送信された画像データに所定の加工処理を行った後、これを画像出力装置であるＤＣＰ作成装置２に送信する制御装置１と、この制御装置１から送信された画像データに基づく画像を出力制御情報に従って出力するＤＣＰ作成装置２とから構成されている。尚、これらはネットワークＮを介して接続されている。因みに、ＲＩＰ４は、制御装置１に組み込まれた構成としても良く、また、ＤＣＰ作成装置２は、複数が設けられる構成としても良い。
【００２３】
制御装置１及び画像データ編集端末３は、各々、コンピュータターミナル（端末装置）として動作するものであって、制御装置１は、コンピュータ本体、キーボード、表示部等を備え、後述する種々の処理を実行する所定の動作プログラムが組み込まれている。また、画像データ編集端末３は、コンピュータ本体、キーボード、表示部、イメージスキャナ等の必要な画像入力機器を備えている。
【００２４】
＜概略動作＞
このような構成において、制御装置１は、画像データ編集端末３やＲＩＰ４から送信された画像データを予め設定された出力条件に従って解析加工した後、これを、後述するカラーコレクションテーブルに関する情報と共にＤＣＰ作成装置２に送信する。因みに、此処に言う出力条件とは、画像データ編集端末３やＲＩＰ４から送信された画像データの種別に応じて、これをラスター化する処理を行うか否かを規定した条件のことであり、また、此処に言う解析加工とは、画像データ編集端末３やＲＩＰ４から送信された画像データの種別を判断して（解析に対応する）、その画像データがラスター化する処理を必要とする場合には、これを実施する（加工に対応する）ということである。尚、画像データの種別には、主としてＰＳ、ＰＤＦ、ＥＰＳ等のページ記述言語と、ＴＩＦＦ、ＴＩＦＦ／ＩＴ、ＪＰＥＧ等の汎用フォーマットとがあり、上述した出力条件は、制御装置１において画像データを加工することで反映させる他にも、出力条件を別途通知しておき、ＤＣＰ作成装置２において画像データを加工することで反映させる方法がある。画像データが送信されたＤＣＰ作成装置２においては、制御装置１から送信された画像データに基づく画像を、送信されたカラーコレクションテーブルに従って出力する。これにより、所定のカラープルーフが作成される。
【００２５】
［制御装置］
次に、当該画像出力システムを構成する制御装置１の詳細構成及び詳細動作について、図２、図４乃至図６、図８を参照しつつ、図３及び図７に示すフローチャートの流れに沿って説明する。尚、当該制御装置１は、本発明である請求項１及び請求項５に記載の制御装置に対応する。
【００２６】
＜詳細構成＞
図２に示すように、制御装置１は、画像データ編集端末３やＲＩＰ４から送信された画像データを受信して、これを格納する格納部１０と、この格納部１０に格納された画像データを構成する各色版の刷り順を指定するための刷り順指定部１１と、カラーコレクションテーブルを作成するための手段であり、当該カラーコレクションテーブルが対象とする各色版の色名称を登録するための色版名称登録部１２ａと、当該カラーコレクションテーブルが対象とする各色版の刷り順を設定するための刷り順設定部１２ｂと、を有するカラーコレクション作成部１２と、このカラーコレクション作成部１２において作成されたカラーコレクションテーブルを当該カラーコレクションテーブルが対象とする各色版の色名称及び刷り順を示す情報と共に記憶するカラーコレクションテーブル記憶部１３と、刷り順指定部１１により指定された各色版の刷り順と、カラーコレクションテーブル記憶部１３にカラーコレクションテーブルと共に記憶された当該カラーコレクションテーブルが対象とする各色版の刷り順とを照合して、互いの刷り順が一致するカラーコレクションテーブルを抽出する（さらに、この際、格納部１０に格納された画像データを構成する各色版の色名称と、カラーコレクションテーブル記憶部１３にカラーコレクションテーブルと共に記憶された当該カラーコレクションテーブルが対象とする各色版の色名称とを照合して、これらが一致することを確認する）カラーコレクションテーブル抽出部１４と、格納部１０に格納された画像データを解析加工して、色版別の画像ラスターデータを作成する画像データ解析加工部１５と、この画像データ解析加工部１５において作成された色版別の画像ラスターデータと、カラーコレクションテーブル抽出部１４によって抽出されたカラーコレクションテーブルに関する情報とを出力指示信号と共にＤＣＰ作成装置２に送信する送信制御部１６とから構成されている。
【００２７】
尚、格納部１０は、本発明の「格納手段」に対応する。また、刷り順指定部１１は、本発明の「指定手段」に対応する。また、カラーコレクション記憶部１３は、本発明の「記憶手段」に対応する。また、カラーコレクションテーブル抽出部１４は、本発明の「抽出手段」に対応する。また、画像データ解析加工部１５は、本発明の「解析加工手段」に対応する。また、送信制御部１６は、本発明の「送信制御手段」に対応する。
【００２８】
＜詳細動作＞
図３に示すように、作業者は、まず、カラーコレクションテーブル作成部１２により、カラーコレクションテーブルを作成する作業を行う（Ｓ０１）。
【００２９】
図４に、このカラーコレクションテーブル作成部１２により、カラーコレクションテーブルを作成する際の画面の流れを説明する画面表示構成図を示す。尚、カラーコレクションテーブル作成部１２は、ＣＰＵ等の演算手段と、所定の演算プログラムを記憶するメモリ等の記憶手段からなり、後述する種々の画面表示に関する処理、及び、カラーコレクションテーブルの作成に関する処理を行う。また、後述する種々の設定操作は、キーボードやマウス等の一般的な入力手段を用いて行われる。また、後述する種々の画面は、モニタ等の一般的な表示手段により構成される表示部において表示される。
【００３０】
図４に示すように、表示部には、通常、プリンタコントローラメイン画面１Ａが表示されている。作業者は、このプリンタコントローラメイン画面１Ａにおいて、キーボード等の操作により、カラコレマネージャ項目１Ａａを選択することで、同図に示すカラーコレクションマネージャ画面１Ｂを表示する。作業者は、さらに、このカラーコレクションマネージャ画面１Ｂにおいて、キーボード等の操作により、新規作成項目１Ｂａを選択することで、同図に示すカラーコレクション調整ツール画面１Ｅを表示する。
【００３１】
作業者は、このカラーコレクション調整ツール画面１Ｅにおいて、感光材料に表現するＹ／Ｍ／Ｃ／Ｂ（Ｍ＋Ｃ）／Ｇ（Ｙ＋Ｃ）／Ｒ（Ｙ＋Ｍ）／Ｋ等の各色版と、これに対応するＤＣＰ作成装置２の露光光源の各色であるＢ／Ｇ／Ｒの光量値を設定することで、図５（Ａ）、（Ｂ）に示すようなカラーコレクションテーブルを作成する。但し、この際、各色版に対応するＤＣＰ作成装置２の露光光源の光量値は、これらのカラーコレクションテーブルを構成するＹ／Ｍ／Ｃ／Ｋの各色版の刷り順に応じて調整された値となっている。因みに、図５（Ａ）に示すカラーコレクションテーブル１ａにおいては、Ｙ／Ｍ／Ｃ／Ｋの各色版に関する刷り順は、Ｋ→Ｃ→Ｍ→Ｙとなっている。また、図５（Ｂ）に示すカラーコレクションテーブル１ａ´においては、Ｙ／Ｍ／Ｃ／Ｋの各色版に関する刷り順は、Ｃ→Ｍ→Ｙ→Ｋとなっている。これは、Ｋを含む各色版（同図における太枠内）のＢ／Ｇ／Ｒの光量値が、図５（Ａ）に示すカラーコレクションテーブル１ａと、図５（Ｂ）に示すカラーコレクションテーブル１ａ´とで異なっていることからも判断することができる。尚、このカラーコレクション調整ツール画面１Ｅにおけるカラーコレクションテーブルの作成作業については、従来の場合と同様であるため、その詳細については省略する。
【００３２】
作業者は、次に、カラーコレクションテーブル作成部１２の色版名称登録部１２ａ及び刷り順設定部１２ｂにより、作成したカラーコレクションテーブルが対象とする各色版の色名称を登録する作業と、刷り順を設定する作業を行う（Ｓ０２）。
【００３３】
図４に、このカラーコレクションテーブル作成部１２の色版名称登録部１２ａ及び刷り順設定部１２ｂにより、作成したカラーコレクションテーブルが対象とする各色版の色名称を登録する際と、刷り順を設定する際の画面の流れを説明する画面表示構成図を示す。尚、カラーコレクションテーブル作成部１２の色版名称登録部１２ａ及び刷り順設定部１２ｂは、ＣＰＵ等の演算手段と、所定の演算プログラムを記憶するメモリ等の記憶手段からなり、後述する種々の画面表示に関する処理、及び、カラーコレクションテーブルが対象とする各色版の色名称及び刷り順を登録／設定する処理を行う。また、後述する種々の設定操作は、キーボードやマウス等の一般的な入力手段を用いて行われる。また、後述する種々の画面は、モニタ等の一般的な表示手段により構成される表示部において表示される。
【００３４】
作業者は、カラーコレクションマネージャ画面１Ｂにおいて、キーボード等の操作により、プロパティ項目１Ｂｅを選択することで、同図に示すカラーコレクションテーブルのプロパティ画面１Ｆを表示する。
【００３５】
このカラーコレクションテーブルのプロパティ画面１Ｆでは、作成したカラーコレクションテーブルに関して、後述するテンプレートを設定するためのテンプレート設定項目１Ｆａと、そのカラーコレクションテーブルが対象とする各色版の色名称を表示する色名称表示項目１Ｆｂと、これを任意に設定するための色名称設定項目１Ｆｃと、当該カラーコレクションテーブルのプロパティ画面１Ｆにおける設定内容を確定するためのＯＫ項目１Ｆｄ、当該カラーコレクションテーブルのプロパティ画面１Ｆにおける設定内容を取り消すためのキャンセル項目１Ｆｅが表示される。因みに、色名称表示項目１Ｆｂに表示される各色版の色名称は、カラーコレクション調整ツール画面１Ｅにおいて入力された正式名称である。また、色名称設定項目１Ｆｃは、実際に使用される色版の色名称が正式名称と異なる場合に、その色版の色名称を設定するために利用される。
【００３６】
作業者は、このカラーコレクションテーブルのプロパティ画面１Ｆの色名称設定項目１Ｆｃにおいて、例えば“Ｃｙａｎ”、“Ｍａｇｅｎｔａ”、“Ｙｅｌｌｏｗ”、“Ｂｌａｃｋ”、“ＤＩＣ００１Ｏｒａｎｇｅ”、“Ｐｉｎｋ”と各色版の色名称を設定して、ＯＫ項目１Ｆｄを選択することで、その設定内容を確定する。
【００３７】
作業者は、さらに、このカラーコレクションテーブルのプロパティ画面１Ｆにおいて、キーボード等の操作により、テンプレート設定項目１Ｆａを選択することで、図６に示すテンプレート画面１Ｋを表示する。
【００３８】
このテンプレート画面１Ｋでは、作成するテンプレートの名称を表示するｓｏｆｔＤＧテンプレート名項目１Ｋａと、テンプレートの各種設定項目、具体的には、画像データの出力先を表示する出力機項目１Ｋｂ、出力解像度を表示する出力解像度項目１Ｋｃ、出力フォーマットを表示する出力フォーマット項目１Ｋｄ、網形状を表示する網形状項目１Ｋｅ、網点の列数を表示する線数項目１Ｋｆ、各色版の刷り順及び網角度を表示する出力色版項目１Ｋｇと、当該テンプレート画面１Ｋにおける設定内容を確定して保存するための保存項目１Ｋｈと、当該テンプレート画面１Ｋにおける設定内容を取り消すためのキャンセル項目１Ｋｉ等を表示する。
【００３９】
作業者は、このテンプレート画面１Ｋにおいて、キーボード等の操作により、例えば、出力機項目１Ｋｂにおいて、“ＤｉｇｉｋｏｎＰｒｏ”と設定して、出力解像度項目１Ｋｃにおいて、“２４００”と設定して、出力フォーマット項目１Ｋｄにおいて、“Ｐａｃｋ１６ｘ”と設定して、網形状項目１Ｋｅにおいて、“ｓｑｕａｒｅ０１”と設定して、線数項目１Ｋｆにおいて、“１７５”と設定して、出力色版項目１Ｋｇにおいて、Ｃ／Ｍ／Ｙ／Ｋ／特色１／特色２の刷り順を各々“１”、“２”、“３”、“４”、“５”、“６”と設定して、同時に、その網角度を各々“１５”、“４５”、“００”、“７５”、“１５”、“１５”と設定して、保存項目１Ｋｈを選択することで、これらの設定内容を保存する。
【００４０】
このような作業を行うことにより、カラーコレクションテーブルの設定、即ち、当該カラーコレクションテーブルの対象とする各色版の色名称の登録、及び、刷り順の設定が行われる。
【００４１】
さらに、このような作業を繰り返し行うことで、全てのカラーコレクションテーブルの対象とする各色版の色名称の登録、及び、刷り順の設定が完了する（Ｓ０３、Ｙｅｓ）。
【００４２】
（記憶ステップ）
これらの登録内容、及び、設定内容に関する情報は、作成されたカラーコレクションテーブルと共にカラーコレクションテーブル記憶部１３に記憶される。
【００４３】
因みに、このような工程を経たカラーコレクションテーブルをＤＣＰ作成装置２において登録する場合には、作業者は、さらに、カラーコレクションマネージャ画面１Ｂにおいて、キーボード等の操作により、装置登録項目１Ｂｆを選択することで、同図に示すＤＣＰ作成装置への登録画面１Ｈを表示する。
【００４４】
このＤＣＰ作成装置への登録画面１Ｈでは、対象となるカラーコレクションテーブルのファイル名を表示するファイル名表示項目１Ｈａ、各色版の刷り順を表示する刷り順項目１Ｈｂ、登録するチャンネル名を表示するチャンネル表示項目１Ｈｃと、当該ＤＣＰ作成装置への登録画面１Ｈにおける登録内容を確定して、対象となるカラーコレクションテーブルをＤＣＰ作成装置２において登録するための登録項目１Ｈｄと、当該ＤＣＰ作成装置への登録画面１Ｈにおける登録内容を取り消すためのキャンセル項目１Ｈｅ等を表示する。
【００４５】
作業者は、このＤＣＰ作成装置への登録画面１Ｈにおいて、キーボード等の操作により、例えば、チャンネル表示項目１Ｈｃにおいて、“３”と設定し、登録項目１Ｈｄを選択することで、対象となるカラーコレクションテーブルを、ファイル名表示項目１Ｈａに表示される“ａａａ”というファイル名で、刷り順項目１Ｈｂに表示される“Ｃ→Ｍ→Ｙ→Ｋ→特１→特２”という刷り順で、ＤＣＰ作成装置２に登録する。尚、このような処理は、送信制御部１６が、当該カラーコレクションテーブルに関する情報を、上述したＤＣＰ作成装置への登録画面１Ｈにおける登録情報と共に送信することで行われる。ＤＣＰ作成装置２においては、受信したカラーコレクションテーブルを、受信した登録情報に基づいて、記憶部（後述するＬＵＴ部２０５）に登録する処理を行う。
【００４６】
（格納ステップ）
図７に示すように、このような事前準備が行われた上で、画像データ編集端末３やＲＩＰ４から画像データが送信されると、格納部１０は、これを受信して、その画像データを格納する（Ｓ０５）。尚、この画像データには、当該画像データを構成する各色版の色名称に関する情報が付加されており、この際に、画像データを構成する各色版の色名称が取得される（Ｓ０６）。
【００４７】
（指定ステップ）
作業者は、この際、刷り順指定部１１により、格納部１０に格納された画像データを構成する各色版の刷り順を指定する作業を行う（Ｓ０７）。但し、この際に指定される各色版の刷り順は、最終印刷物を構成する各色版の刷り順と同様とされる。
【００４８】
尚、刷り順指定部１１は、ＣＰＵ等の演算手段と、所定の演算プログラムを記憶するメモリ等の記憶手段からなり、後述する種々の画面表示に関する処理、及び、格納部１０に格納された画像データを構成する各色版の刷り順を指定する処理を行う。また、後述する種々の設定操作は、キーボードやマウス等の一般的な入力手段を用いて行われる。また、後述する種々の画面は、モニタ等の一般的な表示手段により構成される表示部において表示される。
【００４９】
作業者は、プリンタコントローラメイン画面１Ａにおいて、キーボード等の操作により、ジョブ登録項目１Ａｂを選択することで、図８に示すジョブ登録画面１Ｌを表示する。
【００５０】
このジョブ登録画面１Ｌでは、格納部１０に格納された画像データに関する情報、具体的には、当該画像データが格納されたフォルダの名称１Ｌａ、当該画像データのサイズ１Ｌｂ及び解像度１Ｌｃ等を表示すると共に、当該画像データを構成する各色版の色名称を表示する出力色版項目１Ｌｄ、当該画像データを構成する各色版の刷り順を表示する刷り順項目１Ｌｅを表示する。
【００５１】
作業者は、この刷り順項目１Ｌｅにおいて、キーボード等の操作により、例えば“Ｙ→Ｍ→Ｃ→Ｋ→特１→特２”と入力することで、格納部１０に格納された画像データを構成する各色版の刷り順を指定する。
【００５２】
（抽出ステップ）
このようにして、格納部１０に格納された画像データを構成する各色版の刷り順が指定されると、カラーコレクションテーブル抽出部１４は、刷り順指定部１１により指定された刷り順と、カラーコレクションテーブル記憶部１３にカラーコレクションテーブルと共に記憶された当該カラーコレクションテーブルが対象とする各色版の刷り順とを照合して、互いの刷り順が一致するカラーコレクションテーブル群を抽出する。但し、さらに、この際、格納部１０に格納された画像データを構成する各色版の色名称と、カラーコレクションテーブル記憶部１３にカラーコレクションテーブルと共に記憶された当該カラーコレクションテーブルが対象とする各色版の色名称とを照合して、互いの色名称が一致することを確認する（Ｓ０８）。カラーコレクションテーブル抽出部１４は、さらに、抽出されたカラーコレクションテーブルがＤＣＰ作成装置２において登録されているか否かを判断する（Ｓ０９）。ここで、登録されていた場合には（Ｓ０９、Ｙｅｓ）、そのカラーコレクションテーブルを指定するための信号を送信制御部１６に送信する（Ｓ１０）。また、登録されていなかった場合には（Ｓ０９、Ｎｏ）、抽出されたカラーコレクションテーブルに関する情報を送信制御部１６に送信する（Ｓ１１）。
【００５３】
（解析加工ステップ）
一方、画像データ解析加工部１５は、格納部１０に格納された画像データを解析加工して、色版別の画像ラスターデータを作成すると共に（Ｓ１２）、その色版別の画像ラスターデータを送信制御部１６に送信する。
【００５４】
尚、格納部１０は、ＣＰＵ等の演算手段と、所定の演算プログラムを記憶するメモリ等の記憶手段からなり、上述した画像データの格納処理を行う。また、カラーコレクションテーブル抽出部１４は、ＣＰＵ等の演算手段と、所定の演算プログラムを記憶するメモリ等の記憶手段からなり、上述したカラーコレクションテーブルを抽出する処理、抽出したカラーコレクションテーブルに関する情報を送信制御部１６に送信する処理等を行う。
【００５５】
送信制御部１６は、画像データ解析加工部１５から送信された色版別の画像ラスターデータと、カラーコレクションテーブル抽出部１４から送信されたカラーコレクションテーブルを指定するための信号、或いは、カラーコレクションテーブルに関する情報とを出力指示信号と共にＤＣＰ作成装置２に送信する（Ｓ１３）。
【００５６】
尚、以上に説明した種々の画面に関する表示形態は、これに限定されるものではなく、他の形態にすることも当然に可能である。
【００５７】
［制御装置の他例］
ここで、上述した制御装置１の他例である制御装置１´に関する詳細構成及び詳細動作について、図９、図１１、図１２、図６（準用する）及び図８（準用する）を参照しつつ、図１０及び図１３に示すフローチャートの流れに沿って説明する。尚、当該制御装置１´は、本発明である請求項２及び請求項６に記載の制御装置に対応する。
【００５８】
＜詳細構成＞
図９に示すように、制御装置１´は、画像データ編集端末３やＲＩＰ４から送信された画像データを受信して、これをその送信先である端末（画像データ編集端末３やＲＩＰ４）と対応付けられた所定のホットフォルダに格納する格納部１０´と、このホットフォルダと後述するグループとを予め対応付けるためのグループ指定部１７´と、格納部１０´の所定のホットフォルダに格納された画像データを構成する各色版の刷り順を指定するための刷り順指定部１１´と、カラーコレクションテーブルを作成するための手段であり、当該カラーコレクションテーブルが対象とする各色版の色名称を登録するための色版名称登録部１２´ａと、当該カラーコレクションテーブルが対象とする各色版の刷り順を設定するための刷り順設定部１２´ｂと、当該カラーコレクションテーブルが属するグループを設定するためのグループ設定部１２´ｃと、を有するカラーコレクション作成部１２´と、このカラーコレクション作成部１２´において作成されたカラーコレクションテーブルをグループ設定部１２´ｃにより設定されたグループ毎に分類して、当該カラーコレクションテーブルが対象とする各色版の色名称及び刷り順を示す情報と共に記憶するカラーコレクションテーブル記憶部１３´と、画像データが格納されたホットフォルダに対応付けられるグループの範囲内で、カラーコレクションテーブル記憶部１３´に記憶されるカラーコレクションテーブル群の中から、刷り順指定部１１´によって指定された各色版の刷り順と一致するカラーコレクションテーブルを抽出する（さらに、この際、格納部１０´に格納された画像データを構成する各色版の色名称と、カラーコレクションテーブル記憶部１３´にカラーコレクションテーブルと共に記憶された当該カラーコレクションテーブルが対象とする各色版の色名称とを照合して、これらが一致することを確認する）カラーコレクションテーブル抽出部１４´と、格納部１０´に格納された画像データを解析加工して、色版別の画像ラスターデータを作成する画像データ解析加工部１５´と、この画像データ解析加工部１５´において作成された色版別の画像ラスターデータと、カラーコレクションテーブル抽出部１４´によって抽出されたカラーコレクションテーブルに関する情報とを出力指示信号と共にＤＣＰ作成装置２に送信する送信制御部１６´とから構成されている。尚、上述したグループ設定部１２´ｃは、カラーコレクションテーブルを、所定の出力条件、具体的には、最終印刷物に使用される印刷用紙の種別等に応じて複数のグループに分類する。その詳細については後述する。
【００５９】
尚、格納部１０´は、本発明の「格納手段」に対応する。また、刷り順指定部１１´は、本発明の「指定手段」に対応する。また、グループ指定部１７´は、本発明の「フォルダ／グループ対応付け手段」に対応する。また、カラーコレクション記憶部１３´は、本発明の「記憶手段」に対応する。また、カラーコレクションテーブル抽出部１４´は、本発明の「抽出手段」に対応する。また、送信制御部１６´は、本発明の「送信制御手段」に対応する。
【００６０】
＜詳細動作＞
図１０に示すように、このような構成において、作業者は、事前準備として、カラーコレクションテーブル作成部１２´のグループ設定部１２´ｃにより、新規のグループを設定する操作を行う（Ｓ２０）。
【００６１】
図１１に、このグループ設定部１２´ｃによりグループの設定を行う際の画面の流れを説明する画面表示構成図を示す。尚、グループ設定部１２´ｃは、ＣＰＵ等の演算手段と、所定の演算プログラムを記憶するメモリ等の記憶手段からなり、後述する種々の画面表示に関する処理、及び、グループの設定に関する処理を行う。また、後述する種々の設定操作は、キーボードやマウス等の一般的な入力手段を用いて行われる。また、後述する種々の画面は、モニタ等の一般的な表示手段により構成される表示部において表示される。
【００６２】
図１１に示すように、表示部には、通常、プリンタコントローラメイン画面１´Ａが表示されている。このプリンタコントローラメイン画面１´Ａでは、当該画像出力システムにおける各ジョブの処理状況が一覧表示され、例えば画像データ解析加工部１５´によるＲＩＰ処理待ちのジョブ名称、画像データ解析加工部１５´によるＲＩＰ処理が終了したＲＩＰ処理済みのジョブ名称、送信制御部１６´による出力処理が終了した出力処理済みのジョブ名称等が表示される。
【００６３】
作業者は、このプリンタコントローラメイン画面１´Ａにおいて、キーボード等の操作により、カラコレマネージャ項目１´Ａａを選択することで、同図に示すカラーコレクションマネージャ画面１´Ｂを表示する。このカラーコレクションマネージャ画面１´Ｂでは、カラーコレクションテーブルに関する設定、例えば、カラーコレクションテーブルの新規作成を行うための新規作成項目１´Ｂａ、カラーコレクションテーブルの複製を行うための複製項目１´Ｂｂ、カラーコレクションテーブルの削除を行うための削除項目１´Ｂｃ、カラーコレクションテーブルを分類するグループの条件を編集するためのグループ編集項目１´Ｂｄ、カラーコレクションテーブルを構成する各色版（カラーコレクションテーブルが対象とする画像データを構成する各色版）の名称を設定するためのプロパティ項目１´Ｂｅ、カラーコレクションテーブルをＤＣＰ作成装置２に登録させるための装置登録項目１´Ｂｆと、カラーコレクションテーブルに関する各種情報１´Ｂｇ、例えば、対象となるカラーコレクションテーブルのファイル名、グループ名称、対象とする色版の名称、更新時刻、ＤＣＰ作成装置２において登録されているチャンネル名等の情報が一覧表示される。
【００６４】
作業者は、このカラーコレクションマネージャ画面１´Ｂにおいて、キーボード等の操作により、グループ編集項目１´Ｂｄを選択することで、同図に示すカラーコレクションテーブルのグループリスト画面１´Ｃを表示し、このカラーコレクションテーブルのグループリスト画面１´Ｃにおいて、キーボード等の操作により、所定のグループ項目を選択することで、同図に示すカラーコレクションテーブルのグループ編集画面１´Ｄを表示させる。
【００６５】
このグループ編集画面１´Ｄでは、出力条件、具体的には、最終印刷物に使用される印刷用紙の種別（例えば、上質紙／アート紙／コート紙等）を選択するための印刷用紙の種別項目１´Ｄａ、ペーパーの種別（例えば、マット／グロッシー等）を選択するためのペーパー種別項目１´Ｄｂ、白地着色の有無を指定する白地着色有無指定項目１´Ｄｃ、白地の説明・会社名・用途などグループを規定する文字列を入力するフリーコメント項目１´Ｄｄと、当該グループ編集画面１´Ｄにおける設定内容を別名称にて保存するための別名保存項目１´Ｄｅ、当該グループ編集画面１´Ｄにおける設定内容を所定の名称にて保存するための保存項目１´Ｄｆ、当該グループ編集画面１´Ｄにおける設定内容を取り消すためのキャンセル項目１´Ｄｇが表示される。
【００６６】
作業者は、このグループ編集画面１´Ｄにおいて、キーボード等の操作により、例えば、印刷用紙の種別項目１´Ｄａにおいて、“コート紙”を選択して、ペーパー種別項目１´Ｄｂにおいて、“グロッシー”を選択して、白地着色有無指定項目１´Ｄｃにおいて、“無し”を指定する。尚、この際に選択される印刷用紙の種別、ペーパー種別、白地着色有無は、何れも、最終印刷物に使用される印刷用紙に対応したものとなっている。一方、ＤＣＰ作成装置２においては、これらの選択内容に応じて露光条件の調整を行う。これにより、最終印刷物をより忠実に再現するカラープルーフを作成することができる。
【００６７】
このような作業を行うことにより、グループの設定が行われ、これを繰り返し行うことで、全てのグループに関する設定が完了する（Ｓ２１、Ｙｅｓ）。
【００６８】
図１０に示すように、作業者は、次に、カラーコレクションテーブル作成部１２´により、カラーコレクションテーブルを作成する作業を行う（Ｓ２２）。
【００６９】
図１１に、このカラーコレクションテーブル作成部１２´により、カラーコレクションテーブルを作成する際の画面の流れを説明する画面表示構成図を示す。尚、カラーコレクションテーブル作成部１２´は、ＣＰＵ等の演算手段と、所定の演算プログラムを記憶するメモリ等の記憶手段からなり、後述する種々の画面表示に関する処理、及び、カラーコレクションテーブルの作成に関する処理を行う。また、後述する種々の設定操作は、キーボードやマウス等の一般的な入力手段を用いて行われる。また、後述する種々の画面は、モニタ等の一般的な表示手段により構成される表示部において表示される。
【００７０】
上述したように、表示部には、通常、プリンタコントローラメイン画面１´Ａが表示されている。作業者は、このプリンタコントローラメイン画面１´Ａにおいて、キーボード等の操作により、カラコレマネージャ項目１´Ａａを選択することで、同図に示すカラーコレクションマネージャ画面１´Ｂを表示する。作業者は、さらに、このカラーコレクションマネージャ画面１´Ｂにおいて、キーボード等の操作により、新規作成項目１´Ｂａを選択することで、同図に示すカラーコレクション調整ツール画面１´Ｅを表示する。
【００７１】
作業者は、このカラーコレクション調整ツール画面１´Ｅにおいて、感光材料に表現するＹ／Ｍ／Ｃ／Ｂ（Ｍ＋Ｃ）／Ｇ（Ｙ＋Ｃ）／Ｒ（Ｙ＋Ｍ）／Ｋ等の各色版と、これに対応するＤＣＰ作成装置２の露光光源の各色であるＢ／Ｇ／Ｒの光量値を設定することで、図５（Ａ）、（Ｂ）に示したようなカラーコレクションテーブルを作成する。但し、この際、各色版に対応するＤＣＰ作成装置２の露光光源の光量値は、当該カラーコレクションテーブルを構成するＹ／Ｍ／Ｃ／Ｋの各色版の刷り順に応じて調整された値となっている。尚、このカラーコレクション調整ツール画面１Ｅにおけるカラーコレクションテーブルの作成作業については、従来の場合と同様であるため、その詳細については省略する。
【００７２】
（記憶ステップ）
作業者は、次に、カラーコレクションテーブル作成部１２´の色版名称登録部１２´ａ、刷り順設定部１２´ｂ及びグループ設定部１２´ｃにより、作成したカラーコレクションテーブルが対象とする各色版の色名称を登録する作業と、刷り順を設定する作業と、そのカラーコレクションテーブルが属するグループを設定する作業を行う（Ｓ２３）。
【００７３】
図１１に、このカラーコレクションテーブル作成部１２´の色版名称登録部１２´ａ、刷り順設定部１２´ｂ及びグループ設定部１２´ｃにより、作成したカラーコレクションテーブルが対象とする各色版の色名称を登録する際と、刷り順を設定する際と、そのカラーコレクションテーブルが属するグループを設定する際の画面の流れを説明する画面表示構成図を示す。尚、カラーコレクションテーブル作成部１２´の色版名称登録部１２´ａ、刷り順設定部１２´ｂ及びグループ設定部１２´ｃは、ＣＰＵ等の演算手段と、所定の演算プログラムを記憶するメモリ等の記憶手段からなり、各々、後述する種々の画面表示に関する処理、及び、カラーコレクションテーブルが対象とする各色版の色名称を登録する処理、刷り順を設定する処理、そのカラーコレクションテーブルが属するグループを設定する処理を行う。また、後述する種々の設定操作は、キーボードやマウス等の一般的な入力手段を用いて行われる。また、後述する種々の画面は、モニタ等の一般的な表示手段により構成される表示部において表示される。
【００７４】
作業者は、カラーコレクションマネージャ画面１´Ｂにおいて、キーボード等の操作により、プロパティ項目１´Ｂｅを選択することで、同図に示すカラーコレクションテーブルのプロパティ画面１´Ｆを表示する。
【００７５】
このカラーコレクションテーブルのプロパティ画面１´Ｆでは、作成したカラーコレクションテーブルに関して、後述するテンプレートを設定するためのテンプレート設定項目１´Ｆａと、そのカラーコレクションテーブルが属するグループを設定するためのグループ設定項目１´Ｆｆと、そのカラーコレクションテーブルが対象とする各色版の色名称を表示する色名称表示項目１´Ｆｂと、これを任意に設定するための色名称設定項目１´Ｆｃと、当該カラーコレクションテーブルのプロパティ画面１´Ｆにおける設定内容を確定するためのＯＫ項目１´Ｆｄ、当該カラーコレクションテーブルのプロパティ画面１´Ｆにおける設定内容を取り消すためのキャンセル項目１´Ｆｅが表示される。因みに、色名称表示項目１´Ｆｂに表示される各色版の色名称は、カラーコレクション調整ツール画面１´Ｅにおいて入力された正式名称である。また、色名称設定項目１´Ｆｃは、実際に使用される色版の色名称が正式名称と異なる場合に、その色版の色名称を設定するために利用される。
【００７６】
作業者は、このカラーコレクションテーブルのプロパティ画面１´Ｆの色名称設定項目１´Ｆｃにおいて、例えば“Ｃｙａｎ”、“Ｍａｇｅｎｔａ”、“Ｙｅｌｌｏｗ”、“Ｂｌａｃｋ”、“ＤＩＣ００１Ｏｒａｎｇｅ”、“Ｐｉｎｋ”と各色版の色名称を設定して、グループ設定項目１´Ｆｆにおいて、例えば“Ｃｌｉｅｎｔ−Ａ”とグループの名称を設定して、ＯＫ項目１´Ｆｄを選択することで、その設定内容を確定する。
【００７７】
作業者は、さらに、このカラーコレクションテーブルのプロパティ画面１´Ｆにおいて、キーボード等の操作により、テンプレート設定項目１´Ｆａを選択することで、図６を準用して示すテンプレート画面１Ｋを表示する。
【００７８】
このテンプレート画面１Ｋでは、作成するテンプレートの名称を表示するｓｏｆｔＤＧテンプレート名項目１Ｋａと、テンプレートの各種設定項目、具体的には、画像データの出力先を表示する出力機項目１Ｋｂ、出力解像度を表示する出力解像度項目１Ｋｃ、出力フォーマットを表示する出力フォーマット項目１Ｋｄ、網形状を表示する網形状項目１Ｋｅ、網点の列数を表示する線数項目１Ｋｆ、各色版の刷り順及び網角度を表示する出力色版項目１Ｋｇと、当該テンプレート画面１Ｋにおける設定内容を確定して保存するための保存項目１Ｋｈと、当該テンプレート画面１Ｋにおける設定内容を取り消すためのキャンセル項目１Ｋｉ等を表示する。
【００７９】
作業者は、このテンプレート画面１Ｋにおいて、キーボード等の操作により、例えば、ｓｏｆｔＤＧテンプレート名項目１Ｋａにおいて、作成するテンプレートの名称を“ｔｅｓｔ”と設定して、出力機項目１Ｋｂにおいて、“ＤｉｇｉｋｏｎＰｒｏ”と設定して、出力解像度項目１Ｋｃにおいて、“２４００”と設定して、出力フォーマット項目１Ｋｄにおいて、“Ｐａｃｋ１６ｘ”と設定して、網形状項目１Ｋｅにおいて、“ｓｑｕａｒｅ０１”と設定して、線数項目１Ｋｆにおいて、“１７５”と設定して、出力色版項目１Ｋｇにおいて、Ｃ／Ｍ／Ｙ／Ｋ／特色１／特色２の刷り順を各々“１”、“２”、“３”、“４”、“５”、“６”と設定して、同時に、その網角度を各々“１５”、“４５”、“００”、“７５”、“１５”、“１５”と設定して、保存項目１Ｋｈを選択することで、これらの設定内容を保存する。
【００８０】
このような作業を行うことにより、カラーコレクションテーブルの設定、即ち、当該カラーコレクションテーブルの対象とする各色版の色名称の登録及び刷り順の設定、及び、当該カラーコレクションテーブルが属するグループの設定が行われる。
【００８１】
さらに、このような作業を繰り返し行うことで、全てのカラーコレクションテーブルの対象とする各色版の色名称の登録及び刷り順の設定、及び、当該カラーコレクションテーブルが属するグループの設定が完了する（Ｓ２４、Ｙｅｓ）。尚、これらの登録内容、及び、設定内容に関する情報は、作成されたカラーコレクションテーブルと共にカラーコレクションテーブル記憶部１３´に記憶される。
【００８２】
因みに、このような工程を経たカラーコレクションテーブルをＤＣＰ作成装置２において登録する場合には、作業者は、さらに、カラーコレクションマネージャ画面１´Ｂにおいて、キーボード等の操作により、装置登録項目１´Ｂｆを選択することで、同図に示すＤＣＰ作成装置への登録画面１´Ｈを表示する。
【００８３】
このＤＣＰ作成装置への登録画面１´Ｈでは、対象となるカラーコレクションテーブルのファイル名を表示するファイル名表示項目１´Ｈａ、グループ名称を表示するグループ名称項目１´Ｈｂ、登録するチャンネル名を表示するチャンネル表示項目１´Ｈｃと、当該ＤＣＰ作成装置への登録画面１´Ｈにおける登録内容を確定して、対象となるカラーコレクションテーブルをＤＣＰ作成装置２において登録するための登録項目１´Ｈｄと、当該ＤＣＰ作成装置への登録画面１´Ｈにおける登録内容を取り消すためのキャンセル項目１´Ｈｅ等を表示する。
【００８４】
作業者は、このＤＣＰ作成装置への登録画面１´Ｈにおいて、キーボード等の操作により、例えば、チャンネル表示項目１´Ｈｃにおいて、“３”と設定し、登録項目１´Ｈｄを選択することで、同図のファイル名表示項目１´Ｈａに表示される“ａａａ”というファイル名で、グループ名称項目１´Ｈｂに表示される“Ｃｌｉｅｎｔ−Ａ（コート・白地着色無し）”というグループに属するカラーコレクションテーブルをＤＣＰ作成装置２において登録する。尚、このような処理は、送信制御部１６´が、当該カラーコレクションテーブルを、その旨の指示信号と共に送信することで行われる。ＤＣＰ作成装置２においては、受信したカラーコレクションテーブルを記憶部（後述するＬＵＴ部２０５）に登録する処理を行う。
【００８５】
（フォルダ／グループ対応付けステップ）
図１０に示すように、作業者は、次に、グループ指定部１７´により、ホットフォルダを作成する作業を行う（Ｓ２５）。
【００８６】
図１２に、このホットフォルダを作成する際の画面の流れを説明する画面表示構成図を示す。尚、グループ指定部１７´は、ＣＰＵ等の演算手段と、所定の演算プログラムを記憶するメモリ等の記憶手段からなり、後述する種々の画面表示に関する処理、及び、グループの指定に関する処理を行う。また、後述する種々の設定操作は、キーボードやマウス等の一般的な入力手段を用いて行われる。また、後述する種々の画面は、モニタ等の一般的な表示手段により構成される表示部において表示される。
【００８７】
上述したように、表示部には、通常、プリンタコントローラメイン画面１´Ａが表示されている（図１１参照）。作業者は、このプリンタコントローラメイン画面１´Ａにおいて、キーボード等の操作により、ホットフォルダ項目１´Ａｃを選択することで、図１２に示すホットフォルダ編集画面１´Ｊを表示する。
【００８８】
このホットフォルダ編集画面１´Ｊでは、当該ホットフォルダが対象とする、上流端末、即ち、画像データ編集端末３やＲＩＰ４等の名称を表示する端末項目１´Ｊａと、画像データのフォーマットを表示するフォーマット項目１´Ｊｂと、画像データの入力先、即ち、当該ホットフォルダの格納先を表示する入力先項目１´Ｊｃと、上述したテンプレート画面１´ＫのｓｏｆｔＤＧテンプレート名項目１´Ｋａにおいて設定されたテンプレートの名称を表示するテンプレート項目１´Ｊｄと、当該ホットフォルダと対応付けられるグループの名称を表示するカラーコレクション選択項目１´Ｊｅと、当該ホットフォルダ編集画面１´Ｊにおける設定内容を確定して保存するための保存項目１´Ｊｆと、当該ホットフォルダ編集画面１´Ｊにおける設定内容を取り消すためのキャンセル項目１´Ｊｇ等を表示する。
【００８９】
作業者は、このホットフォルダ編集画面１´Ｊのカラーコレクション選択項目１´Ｊｅにおいて、例えば“ａａａ”と設定することで、当該ホットフォルダと上述したテンプレート画面１´Ｋのグループ名項目１´Ｋｊにおいて設定された“ａａａ“という名称のグループとを対応付ける（Ｓ２６）。
【００９０】
これを繰り返し行うことで、必要なホットフォルダの設定が完了する（Ｓ２７、Ｙｅｓ）。
【００９１】
（格納ステップ）
図１３に示すように、このような事前準備が行われた上で、画像データ編集端末３やＲＩＰ４から画像データが送信されると、格納部１０´は、これを受信して、その画像データの送信先である端末（画像データ編集端末３やＲＩＰ４）と対応付けられた所定のホットフォルダに格納する（Ｓ２８）。尚、画像データには、当該画像データを構成する各色版の色名称に関する情報が付加されており、この際に、画像データを構成する各色版の色名称が取得される（Ｓ２９）。
【００９２】
（指定ステップ）
作業者は、この際、刷り順指定部１１´により、格納部１０´の所定のホットフォルダに格納された画像データを構成する各色版の刷り順を指定する作業を行う（Ｓ３０）。但し、この際に指定される各色版の刷り順は、最終印刷物を構成する各色版の刷り順と同様とされる。
【００９３】
尚、刷り順指定部１１´は、ＣＰＵ等の演算手段と、所定の演算プログラムを記憶するメモリ等の記憶手段からなり、後述する種々の画面表示に関する処理、及び、格納部１０´の所定のホットフォルダに格納された画像データを構成する各色版の刷り順を指定する処理を行う。また、後述する種々の設定操作は、キーボードやマウス等の一般的な入力手段を用いて行われる。また、後述する種々の画面は、モニタ等の一般的な表示手段により構成される表示部において表示される。
【００９４】
作業者は、プリンタコントローラメイン画面１´Ａにおいて、キーボード等の操作により、ジョブ登録項目１´Ａｂを選択することで、図８を準用して示すジョブ登録画面１Ｌを表示する。
【００９５】
このジョブ登録画面１Ｌでは、格納部１０´の所定のホットフォルダに格納された画像データに関する情報、具体的には、当該画像データが格納されたフォルダの名称１Ｌａ、当該画像データのサイズ１Ｌｂ及び解像度１Ｌｃ等を表示すると共に、当該画像データを構成する各色版の色名称を表示する出力色版項目１Ｌｄ、当該画像データを構成する各色版の刷り順を表示する刷り順項目１Ｌｅを表示する。
【００９６】
作業者は、この刷り順項目１Ｌｅにおいて、キーボード等の操作により、例えば“Ｙ→Ｍ→Ｃ→Ｋ→特１→特２”と入力することで、格納部１０´の所定のホットフォルダに格納された画像データを構成する各色版の刷り順を指定する。
【００９７】
（抽出ステップ）
このようにして、格納部１０´の所定のホットフォルダに格納された画像データを構成する各色版の刷り順が指定されると、カラーコレクションテーブル抽出部１４´は、画像データが格納されたホットフォルダに対応付けられたグループの範囲内で、刷り順指定部１１´により指定された刷り順と、カラーコレクションテーブル記憶部１３´にカラーコレクションテーブルと共に記憶された当該カラーコレクションテーブルが対象とする各色版の刷り順とを照合して、互いの刷り順が一致するカラーコレクションテーブル群を抽出する。但し、さらに、この際、格納部１０´の所定のホットフォルダに格納された画像データを構成する各色版の色名称と、カラーコレクションテーブル記憶部１３´にカラーコレクションテーブルと共に記憶された当該カラーコレクションテーブルが対象とする各色版の色名称とを照合して、互いの色名称が一致することを確認する（Ｓ３１）。カラーコレクションテーブル抽出部１４´は、さらに、抽出されたカラーコレクションテーブルがＤＣＰ作成装置２において登録されているか否かを判断する（Ｓ３２）。ここで、登録されていた場合には（Ｓ３２、Ｙｅｓ）、そのカラーコレクションテーブルを指定するための信号を送信制御部１６´に送信する（Ｓ３３）。また、登録されていなかった場合には（Ｓ３２、Ｎｏ）、抽出されたカラーコレクションテーブルに関する情報を送信制御部１６´に送信する（Ｓ３４）。
【００９８】
（解析加工ステップ）
一方、画像データ解析加工部１５´は、格納部１０´の所定のホットフォルダに格納された画像データを解析加工して、色版別の画像ラスターデータを作成すると共に（Ｓ３５）、その色版別の画像ラスターデータを送信制御部１６´に送信する。
【００９９】
尚、格納部１０´は、ＣＰＵ等の演算手段と、所定の演算プログラムを記憶するメモリ等の第１の記憶手段と、所定のフォルダ群を記憶するハードディスク等の第２の記憶手段からなり、上述した画像データの所定のホットフォルダへの格納処理を行う。また、カラーコレクションテーブル抽出部１４´は、ＣＰＵ等の演算手段と、所定の演算プログラムを記憶するメモリ等の記憶手段からなり、上述したカラーコレクションテーブルを抽出する処理、抽出したカラーコレクションテーブルに関する情報を送信制御部１６´に送信する処理等を行う。
【０１００】
送信制御部１６´は、この画像データ解析加工部１５´から送信された色版別の画像ラスターデータと、カラーコレクションテーブル抽出部１４´から送信されたカラーコレクションテーブルを指定するための信号、或いは、カラーコレクションテーブルに関する情報とを出力指示信号と共にＤＣＰ作成装置２に送信する（Ｓ３６）。
【０１０１】
尚、以上に説明した種々の画面の表示形態は、これに限定されるものではなく、他の形態にすることも当然に可能である。
【０１０２】
［ＤＣＰ作成装置］
次に、当該画像出力システムを構成するＤＣＰ作成装置２の詳細構成及び詳細動作について、図１４及び図１５を参照しつつ説明する。
【０１０３】
＜詳細構成＞
図１４に示すように、ＤＣＰ作成装置２は、主に、感光材料上に画像を露光するための露光部３３と、露光された感光材料を現像処理するための処理部３４とから構成されている。
【０１０４】
露光部３３は、外部に開閉可能な上面パネル３５及び前面パネル３６を有し、当該露光部３３のメンテナンスは、これらのパネルを開いて行う。また、ロールセット部３７は、ロール状に巻回された感光材料を収容したカートリッジを装填する部分であり、装置本体の上部に設けられている。尚、カートリッジの装填は、給紙カバー３９を開閉して行う。因みに、本実施形態のロールセット部３７は、単数であるが、複数設けられても良い。また、ロール状に巻回された感光材料を直接セットできるものであっても良い。尚、カートリッジに収容される感光材料は、通常、感光面を外側にして巻回される。従って、ロール状に巻回された感光材料を直接セットする場合であっても、感光材料の感光面を外側にして巻回されるものを用いることが好ましい。
【０１０５】
装置本体の外面、具体的には、ロールセット部３７の手前側には、タッチパネル４２と液晶パネル４１から成る操作部が設けられている。タッチパネル４２は、液晶パネル４１の上面に重ねて設けられている。液晶パネル４１には、後述する制御部１００の制御により、操作者に入力を求める入力指示情報や装置の状態を示す装置状態情報等を表示する。一方、タッチパネル４２は、操作者が各種情報を入力する入力手段であり、操作者は、液晶パネル４１に表示される入力指示画面に応じて各種情報の入力を行う。タッチパネル４２からの入力に応じた各種情報は、後述するＲＡＭ１０２に記憶される。尚、操作部の構成は、これに限られず、例えば、ＬＥＤ等から成る表示手段と入力キー等から成る入力手段により構成しても良い。
【０１０６】
処理部３４は、外面に開閉可能な上面パネル４３及び補給パネル４４を有し、通常のメンテナンスは上面パネル４３を開いて行い、処理液の補充等は、補給パネル４４を開いて行う。また、排紙部４５は、現像処理が終了した感光材料をストックする部分である。
【０１０７】
図１５に、ＤＣＰ作成装置２の制御構成を示す。図１５に示すように、ＤＣＰ作成装置２は、全体の制御を行う制御部１００を有し、この制御部１００は、ＣＰＵ１０１、ＲＡＭ１０２及びＲＯＭ１０３とから構成されている。当該制御部１００は、Ｉ／Ｏポート１０４、１０５を介して、感光材料の先端位置や図示省略のドラムの回転位置などを検出するロータリエンコーダ等の検出系を構成するセンサ類１０６、及び、感光材料の搬送やドラムの回転駆動などを行うモーター等の駆動系を構成するアクチュエータ群１０７に接続され、センサ類１０６からの情報に基づいてアクチュエータ群１０７を制御するように構成されている。
【０１０８】
また、操作部については、液晶パネル４１をドライバＤ２０により制御し、これにＤＣＰ作成装置の２の運転状態等を表示する。また、タッチパネル４２からの入力に応じた情報は、Ａ／Ｄ変換部１２０によりデジタル情報としてＣＰＵ１０１に送信される構成となっている。
【０１０９】
さらに、ＤＣＰ作成装置２は、制御装置１から送信される色版別の画像ラスターデータと、カラーコレクションテーブルを指定するための信号或いはカラーコレクションテーブルに関する情報と、出力指示信号とを受信する画像データＩ／Ｆ部２０１を備えている。画像データＩ／Ｆ部２０１は、この各色（Ｃ、Ｍ、Ｙ、Ｋ、特色１、特色２等）のラスターイメージフォーマットの網点画像データを、例えば各色１０本の走査線毎（各色１０のチャンネル毎）の露光用フォーマットに変換し、データバッファ２０４に蓄積する。この画像データのフォーマット変換は、同時に各色１０本の走査線を走査する場合、ラスターイメージフォーマットのビットマップデータの画像データを並べ替え、１０ライン並列に読み出すことにより行う。そして、データバッファ２０４に１枚分のデジタル網点画像データを蓄積した後、送信された出力指示信号に従って、以下のようにして、全色同時露光、即ち、マルチ露光を行う。
【０１１０】
（画像出力ステップ）
この際、画素クロック生成部２０３は、ＰＬＬ（ＰＨＡＳＥ  ＬＯＣＫ  ＬＯＯＰ）回路２０２からの出力に同期させて、データバッファ２０４からデジタル網点画像データを読み出すタイミングを規定する画素クロックを生成する。そして、この画素クロックにてデータバッファ２０４からデジタル網点画像データを読み出して、これをＬＵＴ部２０５に送信する。
【０１１１】
ＬＵＴ部２０５は、印刷の基準色となるＣ、Ｍ、Ｙ、Ｋ、特色１、特色２等と、これらを感光材料上に露光する光源の光強度、例えばＢ（ブルー）、Ｒ（レッド）、Ｇ（グリーン）光の強度組成との対応を規定するＬＵＴ（ルックアップテーブル）、即ち、カラーコレクションテーブルを記憶していると共に、送信されたカラーコレクションテーブルを指定するための信号に従って、該当するカラーコレクションテーブル、或いは、送信されたカラーコレクションテーブルに従って、送られた露光用フォーマットのＣ、Ｍ、Ｙ、Ｋのデジタル網点画像データをＢ、Ｒ、Ｇの露光強度データに変換する。その際、画素毎に、Ｃ、Ｍ、Ｙ、Ｋの網点画像データをＢ、Ｒ、Ｇのレーザ強度の組み合わせに変換する。
【０１１２】
また、制御部１００のＣＰＵ１０１は、センサ類１０６からの感光材料の先端位置の情報、及び、図示省略のドラム位置を検出するロータリエンコーダからのパルス信号のカウントに基づいて、光学ユニットから射出されるレーザ光の照射位置に感光材料の画像記録領域が存在するか否かを判断する。そして、制御部１００は、この判断に基づき、レーザ光の照射位置に感光材料の画像記録領域が存在する期間は、ＬＵＴ部２０５に、レーザダイオードのレーザ光源３２０、３２１、３２２を駆動するドライバＤ３２０、３２１、３２２に入力される露光強度データが、常にレーザダイオードを発光させるに足りるようにＬＵＴデータの設定制御を行っている。これにより、レーザ光照射位置に感光材料の画像記録領域がある期間は、レーザ光源３２０、３２１、３２２のレーザダイオードは、常に発光し、良好な応答性になる。
【０１１３】
このような制御の基、ドラムに保持される感光材料に対する網点画像の出力が行われる。その結果、感光材料上、即ち、カラープルーフ上には、最終印刷物の色調がより忠実に再現された所定の画像が描画される。これにより、最終印刷物の仕上がりを事前に確認することができる。
【０１１４】
尚、制御部１００のＣＰＵ１０１、画像データＩ／Ｆ部２０１、ＰＬＬ２０２、画素クロック生成部２０３、データバッファ２０４、ＬＵＴ部２０５、Ｄ／Ａ変換部２０６〜２０８、ドライバＤ３２０〜Ｄ３２２、ＬＥＤ３２０〜３２２を含み、本発明の「画像出力手段」を構成する。
【０１１５】
［ＤＣＰ作成装置の他の構成］
次に、本発明に係るＤＣＰ作成装置の他の実施形態におけるシステム構成及び概略動作について、図１６を参照しつつ説明する。尚、本実施形態におけるＤＣＰ作成装置２ａ及びＤＣＰ作成装置２´ａは、各々、上述した画像出力システムの制御装置１及び制御装置１´における一連の処理（具体的には、図３及び図７に示すフローチャートの処理、及び、図１０及び図１３に示すフローチャートの処理）を行う機能を当該装置自体に備えたものであって、それぞれが本発明である請求項９及び請求項１０に記載の画像出力装置に対応する。
【０１１６】
従って、これらＤＣＰ作成装置２ａ及びＤＣＰ作成装置２´ａにおける一連の処理に関して、また、その際に当該装置の表示部に表示される種々の画面の表示態様に関しては、何れも上述した画像出力システムにおける制御装置１及びＤＣＰ作成装置２、及び、制御装置１´及びＤＣＰ作成装置２の場合と同様であるため、ここでの説明は省略する。
【０１１７】
＜システム構成＞
図１６に示すように、本実施形態における画像出力システムは、上流端末、即ち、画像データ編集端末３やＲＩＰ４から送信された画像データに所定の加工処理を行った後、これを所定のカラーコレクションテーブルに従って露光して出力する当該ＤＣＰ作成装置２ａ又はＤＣＰ作成装置２´ａを含み構成されている。因みに、ＲＩＰ４は、制御装置１に組み込まれた構成としても良く、ＤＣＰ作成装置２ａ又はＤＣＰ作成装置２´ａは、複数が設けられても良い。尚、これらはネットワークＮを介して互いに接続されている。
【０１１８】
＜概略動作＞
このような構成において、ＤＣＰ作成装置２ａ又はＤＣＰ作成装置２´ａは、画像データ編集端末３やＲＩＰ４から送信された画像データを、予め設定された出力条件に従って解析加工した後、所定のカラーコレクションテーブルに従って露光して出力する。これにより、カラープルーフが作成される。
【０１１９】
［ＤＣＰ作成装置の構成］
次に、当該画像出力システムを構成するＤＣＰ作成装置２ａ及びＤＣＰ作成装置２´ａの詳細構成について、図１７、図１８及び図１９を参照しつつ説明する。
【０１２０】
＜ＤＣＰ作成装置２ａの詳細構成＞
図１７及び図１８に、ＤＣＰ作成装置２ａの制御構成を示す。ＤＣＰ作成装置２ａは、図１７に示すように、従来のＤＣＰ作成装置としての機能を構成する第１の制御構成部と、図１８に示すように、上述した画像出力システムにおける制御装置１の一連の処理（具体的には、図３及び図７に示すフローチャートの処理）を行う機能を構成する第２の制御構成部とから構成されている。尚、図１８に示す第２の制御構成部は、図１７に示す第１の制御構成部の画像データ処理部２１０に対応するものであり、画像データＩ／Ｆ部２０１において受信された画像データは、画像データ処理部２１０の格納部２０に送信されるようになっている。また、図１８に示す符号２０番台の構成要素は、図２に示す符号１０番台の構成要素に対応している。
【０１２１】
尚、当該ＤＣＰ作成装置２ａの詳細動作については、上述した制御装置１及びＤＣＰ作成装置２における内容と同様であるので、ここでの記載は省略する。
【０１２２】
＜ＤＣＰ作成装置２´ａの詳細構成＞
図１７及び図１９に、ＤＣＰ作成装置２´ａの制御構成を示す。ＤＣＰ作成装置２´ａは、図１７に示すように、従来のＤＣＰ作成装置としての機能を構成する第１の制御構成部と、図１９に示すように、上述した画像出力システムにおける制御装置１´の一連の処理（具体的には、図１０及び図１３に示すフローチャートの処理）を行う機能を構成する第２の制御構成部とから構成されている。尚、図１９に示す第２の制御構成部は、図１７に示す第１の制御構成部の画像データ処理部２１０に対応するものであり、画像データＩ／Ｆ部２０１において受信された画像データは、画像データ処理部２１０の格納部２０に送信されるようになっている。また、図１９に示す符号２０´番台の構成要素は、図９に示す符号１０´番台の構成要素に対応している。
【０１２３】
尚、当該ＤＣＰ作成装置２´ａの詳細動作については、上述した制御装置１´及びＤＣＰ作成装置２における内容と同様であるので、ここでの記載は省略する。
【０１２４】
［プログラム及びこれを記憶する記録媒体］
ところで、上述した画像出力システムを構成する制御装置１及びＤＣＰ作成装置２（或いは、ＤＣＰ作成装置２ａ）、及び、制御装置１´及びＤＣＰ作成装置２（或いは、ＤＣＰ作成装置２´ａ）において行われる処理、具体的には、図３及び図７に示すフローチャートの処理、及び、図１０及び図１４に示すフローチャートの処理を実行させるためのプログラムは、各々の装置に内蔵、若しくは、接続される記憶媒体（例えば、ＤＣＰ作成装置２のＲＯＭ１０３等）に記録されており、同じく各々の装置に備えられた演算手段（例えば、ＤＣＰ作成装置２のＣＰＵ１０１等）によって、これが読み出されて実行されるものとする。
【０１２５】
因みに、上述した記録媒体の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記録媒体＜磁気ディスク＞（ハードディスク／フロッピー（登録商標）ディスク／ＺＩＰ等）等を挙げることができる。
【０１２６】
尚、以上に説明した実施形態は、本発明に係る画像出力システム、制御装置、画像出力装置、画像出力方法、その方法を実行させるためのプログラム、及び、そのプログラムを記憶した記憶媒体の好適な一実施形態を例示したものであり、その他の実施形態を除外するものではない。
【０１２７】
例えば、以上に説明した種々の画面に関する表示形態は、これに限定されるものではなく、他の形態にすることも当然に可能である。また、以上に説明した種々の処理ステップ、例えば、（解析加工ステップ）と、（指定ステップ）及び（抽出ステップ）との前後関係は、これに限定されるものではなく、互いの順番が入れ換わったり、同時に進行されることとしても良い。
【０１２８】
【発明の効果】
以上に説明したように、本発明に係る画像出力システム、制御装置、画像出力装置、画像出力方法、その方法を実行させるためのプログラム、及び、そのプログラムを記憶した記憶媒体によれば、最終印刷物を構成する各色版の刷り順を考慮することで、最終印刷物をより忠実に再現するカラープルーフを作成することができる。
【図面の簡単な説明】
【図１】本発明に係る画像出力システムの一実施形態におけるシステム構成を表す構成図である。
【図２】図１に示す画像出力システムの制御装置の詳細構成を表すブロック図である。
【図３】図２に示す制御装置における事前準備の一連の流れを説明するフローチャートである。
【図４】図２に示す制御装置の表示部において表示される種々の画面の流れについて説明するための説明図である。
【図５】（Ａ）、（Ｂ）共に、カラーコレクションテーブルの構成を表す構成図である。
【図６】図２に示す制御装置の表示部において表示される一画面の構成について説明するための説明図である。
【図７】図２に示す制御装置における一連の処理の流れを説明するフローチャートである。
【図８】図２に示す制御装置の表示部において表示される一画面の構成について説明するための説明図である。
【図９】図２に示す制御装置の他例における詳細構成を表すブロック図である。
【図１０】図９に示す制御装置における事前準備の一連の流れを説明するフローチャートである。
【図１１】図９に示す制御装置の表示部において表示される種々の画面の流れについて説明するための説明図である。
【図１２】図９に示す制御装置の表示部において表示される一画面の構成について説明するための説明図である。
【図１３】図９に示す制御装置における一連の処理の流れを説明するフローチャートである。
【図１４】図１に示す画像出力システムのＤＣＰ作成装置の外観を表す構成図である。
【図１５】図１４に示すＤＣＰ作成装置の制御構成を表すブロック図である。
【図１６】図１に示す画像出力システムの他の実施形態におけるシステム構成を表す構成図である。
【図１７】図１６に示す画像出力システムのＤＣＰ作成装置の詳細構成を表すブロック図である。
【図１８】図１７に示す画像データ処理部の詳細構成を表すブロック図である。
【図１９】図１７に示す画像データ処理部の他例における詳細構成を表すブロック図である。
【図２０】最終印刷物において、画像を構成する各色版の刷り順によって、その色調が異なることを説明するための説明図である。
【符号の説明】
１  制御装置
１０  格納部
１１  刷り順指定部
１２  カラーコレクション作成部
１２ａ  色版名称登録部
１２ｂ  刷り順設定部
１３  カラーコレクションテーブル記憶部
１４  カラーコレクションテーブル抽出部
１５  画像データ解析加工部
１６  送信制御部
２  ＤＣＰ作成装置
【図１】
2004341372.tif 000003
【図２】
2004341372.tif 000004
【図３】
2004341372.tif 000005
【図４】
2004341372.tif 000006
【図５】
2004341372.tif 000007
【図６】
2004341372.tif 000008
【図７】
2004341372.tif 000009
【図８】
2004341372.tif 000010
【図９】
2004341372.tif 000011
【図１０】
2004341372.tif 000012
【図１１】
2004341372.tif 000013
【図１２】
2004341372.tif 000014
【図１３】
2004341372.tif 000015
【図１４】
2004341372.tif 000016
【図１５】
2004341372.tif 000017
【図１６】
2004341372.tif 000018
【図１７】
2004341372.tif 000019
【図１８】
2004341372.tif 000020
【図１９】
2004341372.tif 000021
【図２０】
2004341372.tif 000022